(57)【特許請求の範囲】
【請求項１】
基端部を食品の棒状部に被せる筒状の基体と、
該基体に嵌合されて前記基体に沿って長さ方向に移動可能なスライド筒と、
前記スライド筒の一端部と前記基体の先端部とに複数の細長い短冊状に形成したシート片の端部を湾曲又は折曲して連結し、前記スライド筒の一端部と前記基体の先端部との周縁に沿って輪状となるべく構成された装飾部と、
を備え、
前記スライド筒の前記移動に連動して前記シート片は環状体を構成すべく膨出してなることを特徴とする食品の装飾体。
【請求項２】
基端部を食品の棒状部に被せる筒状の基体と、
該基体に嵌合されて前記基体に沿って長さ方向に移動可能なスライド筒と、
先端部を前記基体の先端部と連結すると共に、前記スライド筒３２の全周にわたり、両端部を除いて長さ方向に切込みを設けて形成された装飾部と、
を備え、
前記スライド筒の前記移動に連動して前記切り込みは環状体を構成すべく膨出してなることを特徴とする食品の装飾体。
【請求項３】
前記スライド筒又は前記基体は、前記環状体となるべく膨出した移動位置で、前記スライド筒が移動できないように、前記スライド筒の他端部に他端を径方向内方へ所定長さに折り曲げて形成される係止片を設け前記基体と前記スライド筒とを固定してなることを特徴とする請求項１記載の食品の装飾体。
【請求項４】
シート材に複数の切込みを所定間隔を隔てて並列的に形成し、切込みの長さ方向の略中央部にて二つ折りにし、二つ折りにした折り目と交差する両端部を筒状となるように接合する工程を備えることを特徴とする請求項１又は３に記載の食品の装飾体の製造方法。
【発明の詳細な説明】
【０００１】
【発明の属する技術分野】
本発明は、例えばローストチキン又は焼き鳥の足等に取り付けられ、これらの食品を装飾する装飾体及びその製造方法に関する。
【０００２】
【従来の技術】
従来、ローストチキン又は焼き鳥の足等に取り付けられ、これらの食品を装飾する装飾体１００は、図９に示すように、基端部をローストチキン又は焼き鳥の足等に取り付ける筒状の基体１１０と、該基体１１０の先端部外周面と両端を連結させた環状体１２０を先端部外周面に沿って輪状となるように複数設けて構成した装飾部１３０とを備えており、該装飾部１３０は全体として開花した形状となるように形どられている。なお図中１４０は、固定用の紙テープである。
【０００３】
前記従来の装飾体１００を製造するには、まず、図１０（イ）に示すように、適宜大きさの長方形状の紙材を二つ折りにして、二つ折りにした折り目側から、折り目と直交する切込み１５０を、適宜間隔に折り目の全長にわたって、設ける。次に図１０（ロ）に示すように、前記折り目と交差する両端辺である辺Ａと辺Ｂとを重ね合わすように、巻回する。そして、二重半程度巻回した前記基体１１０の基端部に接着剤を塗布した紙テープ１４０を巻いて固定する。その後、前記環状体１２０を、前記基体１１０の径方向外方に向けて膨出するように、指等で形どって、前記装飾部１３０を花びらが開花したように装飾する。
【０００４】
【発明が解決しようとする課題】
しかしながら、前記装飾体１００は、紙又はフィルム材又はこれらにアルミ箔を蒸着した素材で形成されており、前記装飾体１００を、ケースに詰め込んで運搬等する場合には、前記のように装飾部１３０を膨出した状態で運搬するために、この膨出した装飾部１３０が変形し易くなるという問題が生じる。また、前記装飾体１００をケース等に詰めて運搬する場合は、装飾部１３０が膨出しているため、全体として容量が嵩み、運搬コストが高価になるという問題が生じる。
【０００５】
本発明は、かかる事情に鑑みてなされたものであり、筒状の基体と、該基体に嵌合して前記基体に沿って長さ方向に移動するスライド筒と、該スライド筒の一端部及び／又は前記基体の先端部の周面に沿って設けられた複数の環状体で構成された装飾部とを設けて、前記環状体を前記スライド筒の移動に連動して膨出させるようになして、使用時に装飾部を膨出するようにし、運搬時には装飾部を膨出しない状態として、運搬時における装飾部の変形を防止するとともに、運搬の容量を少なくして、運搬コストを低くできる食品の装飾体及びその製造方法を提供することを目的とする。
【０００６】
【課題を解決するための手段】
請求項１記載の食品の装飾体は、基端部を食品の棒状部に被せる筒状の基体と、該基体に嵌合されて前記基体に沿って長さ方向に移動可能なスライド筒と、前記スライド筒の一端部と前記基体の先端部とに複数の細長い短冊状に形成したシート片の端部を湾曲又は折曲して連結して、前記スライド筒の一端部と前記基体の先端部との周縁に沿って輪状となるべく構成された装飾部と、を備え、前記スライド筒の前記移動に連動して前記シート片は環状体を構成すべく膨出してなることを特徴とする。
請求項２記載の食品の装飾体は、基端部を食品の棒状部に被せる筒状の基体と、該基体に嵌合されて前記基体に沿って長さ方向に移動可能なスライド筒と、先端部を前記基体の先端部と連結すると共に、前記スライド筒３２の全周にわたり、両端部を除いて長さ方向に切込みを設けて形成された装飾部と、備え、前記スライド筒の前記移動に連動して前記切り込みは環状体を構成すべく膨出してなることを特徴とする。
【０００７】
請求項１及び２に記載の発明にあっては、装飾部の環状体は、スライド筒の移動によって膨出するので、使用時、すなわち食品に取り付ける際に、環状体を膨出させればよく、運搬時には、環状体を膨出させない状態で運搬することができる。
【０００８】
請求項３記載の食品の装飾体は、請求項１記載の発明において、前記スライド筒又は前記基体は、前記環状体となるべく膨出した移動位置で、前記スライド筒が移動できないように、前記スライド筒の他端部に他端を径方向内方へ所定長さに折り曲げて形成される係止片を設け前記基体と前記スライド筒とを固定してなることを特徴とする。
【０００９】
請求項３記載の発明にあっては、前記環状体が膨出した位置で前記基体又は前記スライド筒を固定する固定手段を備えているので、前記基体又は前記スライド筒を容易に固定でき、ステープラー又は接着剤等で固定する手間を省くことができる。
【００１０】
請求項４記載の食品の装飾体の製造方法は、請求項１又は３に記載の食品の装飾体の製造方法であって、シート材に複数の切込みを所定間隔を隔てて並列的に形成し、切込みの長さ方向の略中央部にて二つ折りにし、二つ折りにした折り目と交差する両端部を筒状となるように接合する工程を備えることを特徴とする。
【００１１】
請求項４記載の発明にあっては、一枚のシート材から食品の装飾体を簡単に製造することができる。
【００１２】
削除
【００１３】
削除
【００１４】
【発明の実施の形態】
以下、本発明をその実施の形態を示す図面に基づき具体的に説明する。
（第１実施の形態）
図１は、本発明の第１の実施の形態に係る食品の装飾体１０の斜視図である。前記装飾体１０は、一般的には、紙製のシート材、合成樹脂からなるフィルムシート材又はこれらにアルミニュウム箔を接合あるいはアルミニュウム等を蒸着したシート材により、後述する製造方法等によって製造される。
【００１５】
図１に示す装飾体１０は、食品に取り付ける前の状態のものである。図中１１は基体であり、前記シート材から適宜大きさの円筒状に形成される。該基体１１の基端部１１ａは、装飾すべきローストチキン等の足等が挿入して取り付けられるように開口されている。従って、前記基端部１１ａを含む基体１１の直径は、前記ローストチキン等の足等の直径に合わせて大きさが定められる。通常は、予め定められた直径のものを大・中・小・特大の４種類程度用意すれば足りる。
【００１６】
図中１２はスライド筒であり、前記基体１１の直径よりもやや径大の円筒状に形成されており、全長は前記基体１１よりも後述する移動長さ分だけ短く、また両端は開口されている。前記スライド筒１２は、前記基体１１に沿って前記基体１１の長さ方向に移動できるように、前記基体１１に外嵌されており、前記スライド筒１２の一端部１２ａは、前記基体１１の先端部１１ｂと連結されている。前記スライド筒１２の他端部１２ｂには、他端を径方向内方へ所定長さに折り曲げて係止片１４が形成されている。
【００１７】
前記スライド筒１２の一端部１２ａと前記基体１１の先端部１１ｂとには、細長い短冊状のシート材の端部を夫々連結して、環状体１３ａをなすべく形成されており、該環状体１３ａは、前記スライド筒１２の一端部１２ａ及び前記基体１１の先端部１１ｂの周縁に沿って輪状に複数設けられて、この複数の環状体１３ａ…によって装飾部１３を構成している。本実施の形態では前記環状体１３ａは、前記スライド筒１２と前記基体１１とに複数の切込みＳを設け、該切込みＳ…によって切り離されることによって一体的に形成されているが、細長い短冊状のシート材を別体に形成して、その端部を、夫々前記スライド筒１２の一端部１２ａと前記基体１１の先端部１１ｂとに連結して環状体１３ａとしてもよい。
【００１８】
図２（イ）は、前記装飾体１０を食品に取り付けて組み立てた状態、すなわち、前記環状体１３ａ…を膨出させた状態を示し、（ロ）は、固定手段を示す要部断面図である。前記装飾体１０の前記スライド筒１２を、前記基体１１の基端側の方向（図１の矢印方向）に前記基体１１に沿って移動させて、（ロ）に示すように、前記係止片１４が前記基体１１の基端を抱持するように嵌め込み固定する。前記環状体１３ａ…は、（イ）に示す如く、前記スライド筒１２の前記移動に伴い、前記環状体１３ａ…のスライド筒１２に固定された一端は図１の矢印方向に追従して、前記移動長さ分だけ引っ張られ、これに伴って、前記環状体１３ａ…は外径方向に向けて拡開するように膨出する。従って、複数の前記環状体１３ａ…が輪状に配置され構成された装飾部１３は、全体として開花したような形状となる。
【００１９】
以上の如き食品の装飾体１０の製造方法の一例を図３に示す。まず、図３（イ）に示すように、長辺Ｘ，Ｙ及び短辺Ｖ，Ｗを備える適宜大きさの長方形状シート材の長辺Ｘ，Ｙ方向の中央より一方の短辺Ｖよりに、長辺Ｘ，Ｙと略平行に適宜長さの切込みＳを短辺Ｖ，Ｗ方向の略全長に渡って適宜間隔を隔てて複数設けて、帯状の切込み部ＳＡを形成する。なお、この複数の切込みＳ…により適宜間隔に複数に切り離された部分が、複数の前記環状体１３ａ…を構成する。
【００２０】
次に図３（ロ）に示すように、前記切込み部ＳＡの長さ方向の略中央から一方の短辺Ｖを対向する短辺Ｗに向けて二つ折りにする。このとき、短辺Ｖには、二つ折りにした方向にさらに適宜長さに折返して、係止片１４を形成する。
【００２１】
そして、図３（ハ）に示すように、前記係止片１４を設けた面が外周となるように長辺Ｘ，Ｙ方向に丸めて、長辺Ｘとこれに対向する長辺Ｙを接合して、筒状の前記装飾体１０を製造する。
【００２２】
図４は、以上のようにして製造された前記装飾体１０の使用方法の一例を示す図であり、図中ＲＣはローストチキンである。先ず図４（イ）に示すように、前記装飾体１０の基端部１１ａをローストチキンＲＣの足に被せて固定する。次に図４（ロ）に示すように、前記装飾体１０の前記スライド筒１２を、前記基体１１の基端部１１ａ側（図中矢印方向）に移動させる。そして、図４（ハ）に示すように、前記スライド筒１２に設けた前記係止片１４に前記基体１１の基端を抱持させるようにして、前記基体１１と前記スライド筒１２とを移動不能に固定する。このとき、前記スライド筒１２の一端部１２ａと連結された前記環状体１３ａ…が前記スライド筒１２の移動方向に、移動長さ分だけ追従し、これに伴い、前記複数の環状体１３ａ…が前記基体１１の径方向の外方に向かい膨出するため、前記複数の環状体１３ａ…で構成された前記装飾部１３は開花するが如きに装飾される。
【００２３】
なお、図４で説明した使用方法では、食品（ローストチキンＲＣ）に前記装飾体１０を取り付けてから前記装飾部１３を膨出させて装飾したが、前記スライド筒１２を移動させて前記装飾体１０を組み立ててから、すなわち、前記装飾部１３を膨出させて装飾してから、食品（ローストチキンＲＣ）に取り付けてもよい。
【００２４】
図５は前記装飾体１０の運搬時の概略断面図であり、図中Ｐは運搬に用いられる容器である。運搬時においては、前記装飾体１０は前記装飾部１３を膨出させる必要はないため、図５に示すように、側面視概略筒状の形状で運搬することができ、また、容器Ｐを使用して運搬する場合において、積層して容器に詰め込まれることによって径方向に圧縮されるようなことがあっても、前記装飾部１３は食品に取り付ける際に、組み立てられ装飾されるため、運搬時に前記装飾部１３が変形することはない。また、運搬時には、組立前の前記装飾部１３を膨出させない状態で運搬できることから、運搬容量が少なくてよく、運搬コストを低く抑えることができる。
【００２５】
（第２実施の形態）
図６は本件発明の第２の実施の形態を示す斜視図である。図６において、前述の図１に示す各部に対応する部分には、図１の場合と同一の符号を付して説明を省略する。
【００２６】
図６に示す装飾体２０は、食品に取り付ける前の状態のものである。図中２１は基体であり、前記シート材から適宜大きさの円筒状に形成される。該基体２１の基端部２１ａは、装飾すべきローストチキン等の足等が挿入されるように開口されている。前記基体２１の基端部２１ａには、他端を径方向外方へ所定長さに折り曲げて係止片２４が形成されている。
【００２７】
図中２２はスライド筒であり、前記基体２１の直径よりもやや径大の円筒状に形成されており、全長は前記基体２１よりも後述する移動分だけ長く形成され、両端は開口されている。前記スライド筒２２は、前記基体２１に沿って前記基体２１の長さ方向に移動できるように、前記基体２１に外嵌されており、前記スライド筒２２の一端部２２ａは、前記基体２１の先端部２１ｂと連結されている。
【００２８】
前記スライド筒２２の一端部２２ａと前記基体２１の先端部２１ｂとには、細長い短冊状のシート材の端部を夫々連結して、環状体１３ａをなすべく形成されており、該環状体１３ａは、前記スライド筒２２の一端部２２ａ及び前記基体２１の先端部２１ｂの周縁に沿って輪状に複数設けられて、この複数の環状体１３ａ…によって装飾部２３を構成している。本実施の形態では前記環状体１３ａは、前記スライド筒２２と前記基体２１とに複数の切込みＳを設け、該切込みＳ…によって切り離されることによって一体的に形成されているが、細長い短冊状のシート材を別体に形成して、その端部を、夫々前記スライド筒２２の一端部２２ａと前記基体２１の先端部２１ｂとに連結して環状体１３ａとしてもよい。
【００２９】
図７（イ）は、前記装飾体２０を食品に取り付けて組み立てた状態、すなわち、前記環状体１３ａ…が膨出した状態を示し、（ロ）は、固定手段を示す要部断面図である。前記装飾体２０の前記スライド筒２２を、図６の矢印方向に前記基体２１に沿って移動させて、（ロ）に示すように、前記係止片２４が前記基体２１の基端を抱持するように嵌め込み固定する。前記環状体１３ａ…は、（イ）に示す如く、前記スライド筒２２の前記移動に伴い、前記環状体１３ａ…の一端は図６の矢印方向に追従して押し出され、これにより前記環状体１３ａ…は外径方向に向けて拡開するように膨出する。従って、複数の前記環状体１３ａ…が輪状に配置され構成された装飾部２３は、全体として開花したような形状となる。
【００３０】
なお、第１実施の形態の前記装飾体１０では、前記スライド筒１２を食品側に引っ張るようにして前記装飾部１３を膨出させているのに対して、第２実施の形態の前記装飾体２０では、前記スライド筒２２を食品と反対側に押し出すようにして前記装飾部２３を膨出させている。従って、第１実施の形態では図２（イ）に示すように、前記装飾部１３の形状は、断面が概略扇形状であるのに対して、第２実施の形態では図７（イ）に示すように、前記装飾部２３の形状は、概略茶筅形状となる。このように、本件発明に係る食品の装飾体１０、２０は、前記スライド筒１２、２２の移動方向を相違させることによって、前記装飾部１３、２３の形状を相違させることができる。
【００３１】
（第３実施の形態）
図８は本件発明の第３の実施の形態を示す斜視図であり、図８（イ）は食品に取り付ける前の状態の装飾体３０を示し、（ロ）は、食品に取り付けた状態の装飾体３０を示す。図８において、前述の図１に示す各部に対応する部分には、図１の場合と同一の符号を付して説明を省略する。
【００３２】
図中３１は基体であり、前記シート材から適宜大きさの円筒状に形成される。該基体３１の基端部３１ａは、装飾すべきローストチキン等の足等が挿入されるように開口されている。
【００３３】
図中３２はスライド筒であり、前記基体３１の直径よりもやや径大の円筒状に形成されており、全長は前記基体３１よりも後述する移動分だけ短く形成されている。前記スライド筒３２は、前記基体３１に沿って前記基体３１の長さ方向に移動できるように、前記基体３１に外嵌されており、前記スライド筒３２の一端部３２ａは、前記基体３１の先端部３１ｂと連結されている。
【００３４】
図中３３ａ…は環状体であり、３３は装飾部である。前記環状体３３ａ…はスライド筒３２の全周にわたり、両端部を除いて長さ方向に切込みを設けることによって形成されており、前記複数の環状体３３ａ…により装飾部３３が構成されている。すなわち、本実施の形態の環状体３３ａ…は、第１実施の形態および第２実施の形態とは相違して、スライド筒３２の他端および基体の先端部３１ｂには設けられていない。
【００３５】
第３実施の形態においては、前記複数の環状体３３ａ…が前述のように形成されているので、前記スライド筒３２は図８（イ）で矢印方向にしか移動することはできない。前記スライド筒３２を図８（イ）で矢印方向に移動させると、前記環状体３３ａ…は、（ロ）に示すように、前記スライド筒の移動に伴って、半円状に膨出して、装飾部３３を全体として概略提灯形状に装飾する。
【００３６】
なお、第１実施の形態乃至第３実施の形態では、前記装飾体１０，２０，３０の前記スライド筒１２，２２，３２は、前記基体１１，２１，３１に外嵌されているが、これに限らず内嵌してもよい。前記スライド筒１２，２２，３２を内嵌する場合は、前記固定手段として、第１実施の形態及び第２実施の形態のような係止片１４，２４を用いず、例えば、剥離紙を有する接着層をスライド筒と基体の間に設ける（図示せず）等の固定手段を採るとよい。さらに、使用方法としては、食品に取り付ける直前に装飾部を膨出して装飾してからローストチキン等の食品に取り付けるとよい。
【００３７】
【発明の効果】
請求項１記載の食品の装飾体は、基端部を食品の棒状部に被せる筒状の基体と、該基体に嵌合されて前記基体に沿って長さ方向に移動可能なスライド筒と、前記スライド筒の一端部と前記基体の先端部とに複数の細長い短冊状に形成したシート片の端部を湾曲又は折曲して連結して、前記スライド筒の一端部と前記基体の先端部との周縁に沿って輪状となるべく構成された装飾部と、を備え、前記スライド筒の前記移動に連動して前記シート片は環状体を構成すべく膨出してなしあり、また、請求項２記載の食品の装飾体は、基端部を食品の棒状部に被せる筒状の基体と、該基体に嵌合されて前記基体に沿って長さ方向に移動可能なスライド筒と、先端部を前記基体の先端部と連結すると共に、前記スライド筒３２の全周にわたり、両端部を除いて長さ方向に切込みを設けて形成された装飾部と、備え、前記スライド筒の前記移動に連動して前記切り込みは環状体を構成すべく膨出してなしてあるので、請求項１又は２に記載の発明にあっては、装飾部の環状体は、スライド筒の移動によって膨出でき、食品に取り付ける際に環状体を膨出させればよく、運搬時等の食品に取り付ける前には、環状体を膨出させない状態で運搬することができ、運搬時の装飾部の変形を防止するとともに、運搬時の容量を少なくして、運搬コストを低くできる。
【００３８】
請求項３記載の食品の装飾体は、請求項１記載の発明において、前記スライド筒又は前記基体は、前記環状体となるべく膨出した移動位置で、前記スライド筒が移動できないように、前記スライド筒の他端部に他端を径方向内方へ所定長さに折り曲げて形成される係止片を設け前記基体と前記スライド筒とを固定しているので、請求項１記載の発明の効果に加えて、前記基体又は前記スライド筒を固定するために、ステープラー又は接着剤等で固定する手間を省くことができる。
【００３９】
請求項４記載の食品の装飾体の製造方法は、請求項１又は３に記載の食品の装飾体の製造方法であって、シート材に複数の切込みを所定間隔を隔てて並列的に形成し、切込みの長さ方向の略中央部にて二つ折りにし、二つ折りにした折り目と交差する両端部を筒状となるように接合する工程を備えるので、一枚のシート材から食品の装飾体を簡単に製造することができる。
【００４０】
削除
【図面の簡単な説明】
【図１】本発明の第１実施の形態に係る食品の装飾体の斜視図である。
【図２】本発明の第１実施の形態に係る食品の装飾体の使用時の図であり、（イ）は斜視図（ロ）は固定手段の要部断面図である。
【図３】（イ）乃至（ハ）は本発明の第１実施の形態に係る食品の装飾体の製造方法を示す図である。
【図４】（イ）乃至（ロ）は、本発明の第１実施の形態に係る食品の装飾体の使用方法を示す斜視図である。
【図５】本発明の第１実施の形態に係る食品の装飾体の運搬時の概略図である。
【図６】本発明の第２実施の形態に係る食品の装飾体の斜視図である。
【図７】本発明の第２実施の形態に係る食品の装飾体の使用時の図であり、（イ）は斜視図（ロ）は固定手段の要部断面図である。
【図８】（イ）は本発明の第３実施の形態に係る食品の装飾体の斜視図であり、（ロ）は第３実施の形態に係る食品の装飾体の使用時の斜視図である。
【図９】従来例を示す斜視図である。
【図１０】（イ）及び（ロ）は従来の装飾体の製造方法を示す斜視図である。
【符号の説明】
１０，２０，３０ 装飾体
１１，２１，３１ 基体
１２，２２，３２ スライド筒
１３，２３，３３ 装飾部
１３ａ，３３ａ 環状体
【図１】
0003987907.tif 000002
【図２】
0003987907.tif 000003
【図３】
0003987907.tif 000004
【図４】
0003987907.tif 000005
【図５】
0003987907.tif 000006
【図６】
0003987907.tif 000007
【図７】
0003987907.tif 000008
【図８】
0003987907.tif 000009
【図９】
0003987907.tif 000010
【図１０】
0003987907.tif 000011